(57)【要約】【課題】部屋内の美観を損ねず、簡単な動作で照明を制御することが可能な照明装置を提供すること。【解決手段】建物の部屋内に設置される照明装置（１）は、ケーシングと、ケーシング内に配置される照明部（３）と、ケーシング内に配置されユーザの動作を検知する検知部（８）と、検知部（８）による検知結果に基づいて、照明部（８）を制御する照明制御部（６）とを備える。【選択図】図２
2017182899.tif 000002
【特許請求の範囲】
【請求項１】
建物の部屋内に設置される照明装置であって、
ケーシングと、
前記ケーシング内に配置される照明部と、
前記ケーシング内に配置されユーザの動作を検知する検知部と、
前記検知部による検知結果に基づいて、前記照明部を制御する照明制御部とを備える、照明装置。
【請求項２】
前記ケーシングは、前記部屋の天井に取り付けられる、請求項１に記載の照明装置。
【請求項３】
前記検知部は、前記部屋内の画像を撮像する撮像部と、前記撮像部で撮像した画像を用いて、ユーザの顔または動作を認識する画像認識部とを備える、請求項１または２に記載の照明装置。
【請求項４】
前記撮像部は、前記ケーシングの平面視略中央部に設けられる、請求項３に記載の照明装置。
【請求項５】
前記撮像部は、前記照明部による照射領域の平面視略中央部に設けられる、請求項３または４に記載の照明装置。
【請求項６】
前記撮像部に電力を供給するための電力供給部をさらに備える、請求項３〜５のいずれかに記載の照明装置。
【請求項７】
前記撮像部が撮像した一定時間毎の前記部屋内の画像を記録する記録部をさらに備える、請求項３〜６のいずれかに記載の照明装置。
【請求項８】
前記画像認識部による認識結果に基づいてユーザの異常を判別する異常判別部と、
前記異常判別部により異常が判別された場合に、異常の発生を報知する報知部とをさらに備える、請求項３〜７のいずれかに記載の照明装置。
【発明の詳細な説明】
【技術分野】
【０００１】
この発明は、照明装置に関し、特に、建物の部屋内に設置される照明装置に関する。
【背景技術】
【０００２】
一般に、建物の部屋内に設置される照明の制御は、壁などに設置されたスイッチや赤外線などによるリモコンを用いて行われている。
【０００３】
一方、ユーザの簡単な動作で照明装置を制御することが可能な装置が知られている。たとえば、特開２００８−１６２８９号公報（特許文献１）には、ユーザの手や顔の動作を認識することで照明の制御を行う照明制御システムが開示されている。
【先行技術文献】
【特許文献】
【０００４】
【特許文献１】特開２００８−１６２８９号公報
【発明の概要】
【発明が解決しようとする課題】
【０００５】
特許文献１に示されるように、ユーザの動作を画像認識して照明を制御する装置は知られている。しかし、特許文献１に用いられるカメラは、照明装置とは別に壁などに設置されている。そのため、カメラが部屋内に露出することに対して嫌悪感を覚える場合がある。さらに、カメラを壁などに設置した場合に、カメラなどが露出することで部屋の美観を損ねる場合がある。
【０００６】
本発明は、上記のような課題を解決するためになされたものであって、その目的は、部屋内の美観を損ねず、簡単な動作で照明を制御することが可能な照明装置を提供することを目的とする。
【課題を解決するための手段】
【０００７】
本発明の一態様に係る照明設備は、建物の部屋内に設置される照明装置であって、ケーシングと、ケーシング内に配置される照明部と、ケーシング内に配置されユーザの動作を検知する検知部と、検知部による検知結果に基づいて、照明部を制御する照明制御部とを備える。
【０００８】
好ましくは、ケーシングは、前記部屋の天井に取り付けられる。
【０００９】
好ましくは、検知部は、部屋内の画像を撮像する撮像部と、撮像部で撮像した画像を用いて、ユーザの顔または動作を認識する画像認識部とを備える。
【００１０】
好ましくは、撮像部は、ケーシングの平面視略中央部に設けられる。
【００１１】
好ましくは、撮像部は、照明部による照射領域の平面視略中央部に設けられる。
【００１２】
好ましくは、撮像部に電力を供給するための電力供給部をさらに備える。
【００１３】
好ましくは、撮像部が撮像した一定時間毎の部屋内の画像を記録する記録部をさらに備える。
【００１４】
好ましくは、画像認識部による認識結果に基づいてユーザの異常を判別する異常判別部と、異常判別部により異常が判別された場合に、異常の発生を報知する報知部とをさらに備える。
【発明の効果】
【００１５】
本発明によれば、部屋内の美観を損ねず、簡単な動作で照明を制御することが可能な照明装置を提供することができる。
【図面の簡単な説明】
【００１６】
【図１】本発明の実施の形態１に係る照明装置が設置された部屋を示す模式図である。
【図２】本発明の実施の形態１に係る照明装置を示す機能ブロック図である。
【図３】本発明の実施の形態１に係る照明装置を示す断面図である。
【図４】撮像部が撮像した画像の一例を示す模式図である。
【図５】図４の一部分を示す拡大模式図である。
【図６】画像認識部により認識された顔画像を模式的に示す図である。
【図７】ユーザの認識結果の一例を示す模式図である。
【図８】本発明の実施の形態２に係る照明装置を示す機能ブロック図である。
【発明を実施するための形態】
【００１７】
本発明の実施の形態について図面を参照しながら詳細に説明する。なお、図中同一または相当部分には同一符号を付してその説明は繰り返さない。
【００１８】
＜実施の形態１＞
図１〜３を参照して、本実施の形態に係る照明装置１の構成について説明する。照明装置１は、建物の部屋１００内に設置される。照明装置１は、たとえば、部屋１００の天井１０１に取り付けられ、部屋１００の中央に配置される平面視略円形形状の照明である。なお、部屋１００は、家族が集うリビングルームなどの居室であってもよい。
【００１９】
照明装置１は、ケーシング２と、ケーシング２内に配置される照明部３と、ケーシング２内に配置され、ユーザの動作を検知する検知部８と、検知部８による検知結果に基づいて、照明部３を制御する照明制御部６とを備える。
【００２０】
図３を特に参照して、照明部３は、たとえば、平面視ドーナツ形状のＬＥＤ蛍光灯であり、大小２つ設けられる。照明部３は、ケーシング２の略中央部に配置される。ケーシング２は、平面視略円形状であり、凹面が床面１０２側を向くように略凹状に形成されている。ケーシング２の天井１０１側端部は、平面視略円形形状のベース部２１により固定されている。ベース部２１は、取付け部２２を介して天井１０１に取付けられる。これにより、照明部３およびケーシング２は、ベース部２１および取付け部２２を介して、天井１０１に取り付けられる。なお、ケーシング２の平面視略中央部には、検知部８を配置させるために貫通孔２３が設けられている。
【００２１】
次に、検知部８について説明する。検知部８は、部屋１００内の画像を撮像する撮像部４と、撮像部４で撮像した画像を用いて、ユーザの顔または動作を認識する画像認識部５とを備える。
【００２２】
撮像部４は、たとえば、ＣＣＤカメラであり、ケーシング２の平面視略中央部に設けられる。具体的には、撮像部４は、ベース部２１の中央部に固定されている保持部４０において、床面１０２側を向くように配置される。撮像部４の床面１０２側の部分は、ケーシング２の貫通孔２３から突出する。これにより、撮像部４は、部屋１００の中央位置に配置されるため、図１の実線で示される撮像範囲を撮像することができ、図４に示されるように死角が生じることなく、部屋１００全体を撮像することができる。
【００２３】
また、撮像部４は、照明部３による照射領域（照射範囲）の平面視略中央部に設けられる。図１の破線で示される照明部３の照射領域は、照明部３により照射される範囲であり、照明部３が傾斜して設けられる場合には、照射領域も傾斜する。本実施の形態では、照明部３の照射領域の平面視略中央部と、ケーシング２の平面視略中央部とは、一致する。本実施の形態のように、撮像部４を照明部３による照射領域（照射範囲）の平面視略中央部に設けることにより、撮像部４を照明部３の出射光に紛れる位置に配置することができるため、撮像部４が外部から視認されにくい。
【００２４】
さらに、図２，４〜７を参照して、画像認識部５の機能について説明する。図４は、撮像部が撮像した画像の一例を示す模式図であり、図５は、図４の一部分を示す拡大模式図であり、図６は、画像認識部５により認識された顔画像を模式的に示す図であり、図７は、ユーザの認識結果の一例を示す模式図である。
【００２５】
本実施の形態において、画像認識部５は、撮像部４で撮像した部屋１００内の画像（図４）から顔を認識する。具体的には、画像認識部５は、図６で示すように、ユーザの顔、たとえば目、鼻および口などの特徴点を抽出してユーザの顔を認識する。ユーザの顔が認識されると、顔画像を抽出し、特徴点の変化を認識する。
【００２６】
さらに具体的には、図７（ａ）に示すように、画像認識部５は、ユーザが手で目を隠すと、目の特徴点は認識せずに、口の特徴点を認識する認識結果を得る。また、図７（ｂ）に示すように、画像認識部５は、ユーザが手で口を隠すと、口の特徴点は認識せずに、目の特徴点を認識する認識結果を得る。
【００２７】
次に、照明制御部６について説明する。照明制御部６は、上述した画像認識部５の認識結果に基づいて、照明部３を制御する。具体的には、画像認識部５が口の特徴点を認識した場合は、照明制御部６は、照明部３の光度を減少させる。また、画像認識部５が目の特徴点を認識した場合は、照明制御部６は、照明部３の光度を増加させる。これにより、照明装置１は、ユーザの簡単な動作で照明部３の制御を行うことができるため、生活に合わせた細やかな灯りを提供することができる。なお、照明制御部６は、光度の制御だけでなく、照明のＯＮおよびＯＦＦの切り替えを行うものであってもよい。
【００２８】
また、照明装置１は、照明部３だけでなく撮像部４にも電力を供給するための電力供給部７を備える。つまり、電力供給部７は、照明装置１全体の電源を供給する。これにより、照明装置１を独立したものとして提供することができるため、既存の照明装置に代えて設置することができる。また、撮像部４がケーシング２内に配置されているため、撮像部４により部屋１００内の美観が損なわれず、撮像部４による嫌悪感を低減することができる。
【００２９】
以下の実施の形態では、照明装置１の他の構成例について説明する。以下に実施の形態１との相違点のみ詳細に説明する。
【００３０】
＜実施の形態２＞
図８は、本発明の実施の形態２に係る照明装置を示す機能ブロック図である。図８を参照して、照明装置１Ａは、部屋１００内の画像を撮像する撮像部４Ａと、撮像部４Ａで撮像した一定時間ごとの画像を記録する記録部４１と、記録した画像を通信する通信部４２とを備える。
【００３１】
具体的には、記録部４１は、撮像部４Ａで撮像した数分間ごとの部屋１００内の画像を記録する。通信部４２は、記録部４１で記録した画像を他の装置に通信する。通信部４２は、たとえば、スマートフォンやパソコンなどの電子機器に画像を通信する。これにより、照明装置１Ａで撮像した画像に基づいて、住人の行動や動作を把握することができ、健康管理や生活改善に役立てることができる。また、部屋１００内で行われるイベントなどを第三者目線で撮像することができ、撮像された画像を家族の記録として残すことができる。
【００３２】
また、照明装置１Ａは、画像認識部５による認識結果に基づいてユーザの異常を判別する異常判別部５１と、異常判別部５１により異常が判別された場合に、異常の発生を報知する報知部５２とをさらに備える。
【００３３】
異常判別部５１の機能について説明する。本実施の形態において、異常判別部５１は、画像認識部５で認識された画像を用いて、ユーザの通常状態を学習する。異常判別部５１は、学習結果に基づいて、ユーザの状態が通常状態と異なる場合は、異常状態であると判別する。異常判別部５１が異常状態であると判別した場合、報知部５２は、たとえば、部屋１００の外に鳴り響くブザーによりユーザの異常を外部に報知する。
【００３４】
部屋１００内で意識を失ってユーザが倒れた場合、異常判別部５１は、通常状態の学習結果から、倒れた状態が今までにない異常状態であると判別し、報知部５２で異常の発生を部屋１００の外部に報知する。これにより、ユーザの異常を自動的に被介護者などに報知することができる。なお、本実施の形態では、ユーザは、照明を制御する者だけではなく、部屋１００内に滞在している者も含む。
【００３５】
なお、実施の形態１において、ケーシング２は、取付け部２２を介して天井１０１に直接的に取付けられるとして説明したが、コードなどにより間接的に取り付けられてもよい。
【００３６】
また、実施の形態１において、撮像部４は、ＣＣＤカメラであるとしたが、任意形式のカメラを使用することができる。また、照明部３は、平面視円形状のＬＥＤ照明であるとしたが、粒形状のＬＥＤ照明、蛍光灯や豆電球などであってもよい。
【００３７】
また、実施の形態１において、画像認識部５は、ユーザの顔および手の動作を認識するとして説明したが、限定的ではない。たとえば、画像認識部５は、足または体などの動作を認識するものであってもよい。
【００３８】
また、実施の形態２において、報知部５２は、ブザーに限定されず、たとえば、屋外に設けた非常灯が点灯することにより異常を報知するものであってもよい。
【００３９】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００４０】
１，１Ａ  照明装置、２  ケーシング、３  照明部、４，４Ａ  撮像部、５  画像認識部、６  照明制御部、７  電力供給部、８  検知部、２１  ベース部、２２  取付け部、２３  貫通孔、４０  保持部、４１  記録部、４２  通信部、５１  異常判別部、１００  部屋、１０１  天井、１０２  床面。
【図１】
2017182899.tif 000003
【図２】
2017182899.tif 000004
【図３】
2017182899.tif 000005
【図４】
2017182899.tif 000006
【図５】
2017182899.tif 000007
【図６】
2017182899.tif 000008
【図７】
2017182899.tif 000009
【図８】
2017182899.tif 000010